(57)【要約】【課題】  カラープリンタがターゲットカラープリンタの色に合わせで出力したい場合に明度、彩度の連続性を保持しつつ色調整を行える方法等を提供する。【解決手段】  調整値Ｐ１’等がＬ＊ａ＊ｂ＊表色系の各頂点形成される色再現可能範囲（ガモット）外にあるときには、この調整値Ｐ１’等を移動させて色再現可能範囲内の点Ｐを求める。例えば、彩度頂点Ｓ、白色頂点Ｗ及び黒色頂点Ｂの明度と彩度を求め、彩度頂点Ｓの明度より高い明度の点（Ｐ１’〜Ｐ３’）は、明度と彩度を減少させながら移動させ、彩度頂点Ｓの明度より低い明度の点（Ｐ４’〜Ｐ６’）は、明度を増加させ彩度を減少させながら移動させ圧縮する。圧縮は、出力可能な色空間での彩度の最高点（Ｓ）を含む同一輝度平面に対して正負いずれでも一定角度（θまたは−θ）をなすように被調整カラープリンタの色再現可能範囲まで移動させることで行う。【選択図】        図５
2006074486.tif 000002
【特許請求の範囲】
【請求項１】
色合わせの目標とする第１のカラー画像出力装置及び出力色を調整すべき第２のカラー画像出力装置それぞれのカラープロファイルを作成し、該カラープロファイルに基づいて、入力ＣＭＹＫ値に対する出力値として表色系の値Ｌ＊ａ＊ｂ＊が格納されるルックアップテープル（ＬＵＴ）を作成し、該作成したルックアップルデーブルを基にして前記第２のカラー画像出力装置により前記第１のカラー画像出力装置の色に合わせて出力する場合に、明度、彩度の連続性を保って色調整可能とする手段を有することを特徴とするカラー画像出力装置用の色調整装置。
【請求項２】
色合わせの目標とする第１のカラー画像出力装置及び出力色を調整すべき第２のカラー画像出力装置それぞれのカラープロファイルを作成し、該カラープロファイルに基づいて、入力ＣＭＹＫ値に対する出力値として表色系の値Ｌ＊ａ＊ｂ＊が格納されるルックアップテープル（ＬＵＴ）を作成し、該作成したルックアップルデーブルを基にして前記第２のカラー画像出力装置により前記第１のカラー画像出力装置の色に合わせて出力可能とするカラー画像出力装置用の色調整装置において、
前記第１のカラー画像出力装置と前記第２のカラー画像出力装置の同じ色相（Ｈ）の色であって前記第２のカラー画像出力装置の色再現可能範囲外の色を、前記第２のカラー画像出力装置で出力可能な色空間での彩度の最高点（Ｓ）を含む同一輝度平面に対して正負いずれでも一定角度（θまたは−θ）をなすように、前記第２のカラー画像出力装置の色再現可能範囲まで圧縮する手段を有することを特徴とするカラー画像出力装置用の色調整装置。
【請求項３】
請求項２に記載のカラー画像出力装置用の色調整装置において、前記第２のカラー画像出力装置の色再現可能範囲の彩度の最高点より輝度が高く、前記一定角度（θ）での圧縮により前記色再現可能範囲内に到達する場合には、前記同一輝度平面に対して前記一定角度（θ）のままで前記色再現可能範囲まで圧縮することを特徴とするカラー画像出力装置用の色調整装置。
【請求項４】
請求項２に記載のカラー画像出力装置用の色調整装置において、前記第２のカラー画像出力装置の色再現可能範囲の彩度の最高点より輝度が低く、前記一定角度（−θ）での圧縮により前記色再現可能範囲内に到達する場合には、前記同一輝度平面に対して前記一定角度（−θ）のままで前記色再現可能範囲まで圧縮することを特徴とするカラー画像出力装置用の色調整装置。
【請求項５】
請求項２に記載のカラー画像出力装置用の色調整装置において、前記第２のカラー画像出力装置の色再現可能範囲の彩度の最高点より輝度が高く、前記一定角度（θ）での圧縮による圧縮先が前記色再限可能範囲に到達せず、同一輝度平面に到達する場合には、全て最高彩度点（Ｓ）に圧縮することを特徴とするカラー画像出力装置用の色調整装置。
【請求項６】
請求項２に記載のカラー画像出力装置用の色調整装置において、前記第２のカラー画像出力装置の色再現可能範囲の彩度の最高点より明度が高く、前記一定角度（θ）での圧縮による圧縮先が前記色再限可能範囲に到達せずに明度軸に到達する場合には、全て最高または最低明度点（ＷまたはＢ）に圧縮することを特徴とするカラー画像出力装置用の色調整装置。
【請求項７】
色合わせの目標とする第１のカラー画像出力装置及び出力色を調整すべき第２のカラー画像出力装置それぞれのカラープロファイルを作成し、該カラープロファイルに基づいて、入力ＣＭＹＫ値に対する出力値として表色系の値Ｌ＊ａ＊ｂ＊が格納されるルックアップテープル（ＬＵＴ）を作成し、該作成したルックアップルデーブルを基にして前記第２のカラー画像出力装置により前記第１のカラー画像出力装置の色に合わせて出力する場合に、明度、彩度の連続性を保って色調整可能とすることを特徴とするカラー画像出力装置用の色調整方法。
【請求項８】
色合わせの目標とする第１のカラー画像出力装置及び出力色を調整すべき第２のカラー画像出力装置それぞれのカラープロファイルを作成し、該カラープロファイルに基づいて、入力ＣＭＹＫ値に対する出力値として表色系の値Ｌ＊ａ＊ｂ＊が格納されるルックアップテープル（ＬＵＴ）を作成し、該作成したルックアップルデーブルを基にして前記第２のカラー画像出力装置により前記第１のカラー画像出力装置の色に合わせて出力可能とするカラー画像出力装置用の色調整方法において、
前記第１のカラー画像出力装置と前記第２のカラー画像出力装置の同じ色相（Ｈ）の色であって前記第２のカラー画像出力装置の色再現可能範囲外の色を、前記第２のカラー画像出力装置で出力可能な色空間での彩度の最高点（Ｓ）を含む同一輝度平面に対して正負いずれでも一定角度（θまたは−θ）をなすように、前記第２のカラー画像出力装置の色再現可能範囲まで圧縮することを特徴とするカラー画像出力装置用の色調整方法。
【請求項９】
請求項８に記載のカラー画像出力装置用の色調整方法において、前記第２のカラー画像出力装置の色再現可能範囲の彩度の最高点より輝度が高く、前記一定角度（θ）での圧縮により前記色再現可能範囲内に到達する場合には、前記同一輝度平面に対して前記一定角度（θ）のままで前記色再現可能範囲まで圧縮することを特徴とするカラー画像出力装置用の色調整方法。
【請求項１０】
請求項８に記載のカラー画像出力装置用の色調整方法において、前記第２のカラー画像出力装置の色再現可能範囲の彩度の最高点より輝度が低く、前記一定角度（−θ）での圧縮により前記色再現可能範囲内に到達する場合には、前記同一輝度平面に対して前記一定角度（−θ）のままで前記色再現可能範囲まで圧縮することを特徴とするカラー画像出力装置用の色調整方法。
【請求項１１】
請求項８に記載のカラー画像出力装置用の色調整方法において、前記第２のカラー画像出力装置の色再現可能範囲の彩度の最高点より輝度が高く、前記一定角度（θ）での圧縮による圧縮先が前記色再限可能範囲に到達せず、同一輝度平面に到達する場合には、全て最高彩度点（Ｓ）に圧縮することを特徴とするカラー画像出力装置用の色調整方法。
【請求項１２】
請求項８に記載のカラー画像出力装置用の色調整方法において、前記第２のカラー画像出力装置の色再現可能範囲の彩度の最高点より明度が高く、前記一定角度（θ）での圧縮による圧縮先が前記色再限可能範囲に到達せずに明度軸に到達する場合には、全て最高または最低明度点（ＷまたはＢ）に圧縮することを特徴とするカラー画像出力装置用の色調整方法。
【請求項１３】
請求項７ないし請求項１２のいずれかに記載のカラープリンタの色調整方法の実行に用いる手段を有することを特徴とするカラー画像出力装置の色調整システム。
【請求項１４】
カラープリンタの色調整方法を実行する処理ステップからなる画像処理プログラムであって、
色合わせの目標とする第１のカラー画像出力装置及び出力色を調整すべき第２のカラー画像出力装置それぞれのカラープロファイルを作成する第１のステップと、
該カラープロファイルを基にして入力ＣＭＹＫ値に対する出力値として表色系の値Ｌ＊ａ＊ｂ＊が格納されるルックアップテープル（ＬＵＴ）を作成する第２ステップと、
該作成したルックアップルデーブルを基にして前記第２のカラー画像出力装置が前記第１のカラー画像出力装置の色に合わせて出力可能とする第３ステップとからなり、
該第３ステップが、
前記第１のカラー画像出力装置と前記第２のカラー画像出力装置の同じ色相（Ｈ）の色であって前記第２のカラー画像出力装置の色再現可能範囲外の色を、前記第２のカラー画像出力装置で出力可能な色空間での彩度の最高点（Ｓ）を含む同一輝度平面に対して正負いずれでも一定角度（θまたは−θ）をなすように、前記第２のカラー画像出力装置の色再現可能範囲まで圧縮するステップを含むことを特徴とする画像処理プログラム。
【請求項１５】
請求項１４に記載の画像処理プログラムにおいて、
前記第３ステップが、さらに、
前記第２のカラー画像出力装置の色再現可能範囲の彩度の最高点より輝度が高く、前記一定角度（θ）での圧縮により前記色再現可能範囲内に到達する場合には、前記同一輝度平面に対して前記一定角度（θ）のままで前記色再現可能範囲まで圧縮するステップを含むことを特徴とする画像処理プログラム。
【請求項１６】
請求項１４に記載の画像処理プログラムにおいて、
前記第３ステップが、さらに、
前記第２のカラー画像出力装置の色再現可能範囲の彩度の最高点より輝度が低く、前記一定角度（−θ）での圧縮により前記色再現可能範囲内に到達する場合には、前記同一輝度平面に対して前記一定角度（−θ）のままで前記色再現可能範囲まで圧縮するステップを含むことを特徴とする画像処理プログラム。
【請求項１７】
請求項１４に記載の画像処理プログラムにおいて、
前記第３ステップが、さらに、
前記第２のカラー画像出力装置の色再現可能範囲の彩度の最高点より輝度が高く、前記一定角度（θ）での圧縮による圧縮先が前記色再限可能範囲に到達せず、同一輝度平面に到達する場合には、全て最高彩度点（Ｓ）に圧縮するステップを含むことを特徴とする画像処理プログラム。
【請求項１８】
請求項１４に記載の画像処理プログラムにおいて、
前記第３ステップが、さらに、
前記第２のカラー画像出力装置の色再現可能範囲の彩度の最高点より明度が高く、前記一定角度（θ）での圧縮による圧縮先が前記色再限可能範囲に到達せずに明度軸に到達する場合には、全て最高または最低明度点（ＷまたはＢ）に圧縮するステップを含むことを特徴とする画像処理プログラム。
【請求項１９】
カラープリンタの色調整方法を実行する処理ステップからなる画像処理プログラムであって、
色合わせの目標とする第１のカラー画像出力装置及び出力色を調整すべき第２のカラー画像出力装置それぞれのカラープロファイルを作成する第１のステップと、
該カラープロファイルを基にして入力ＣＭＹＫ値に対する出力値として表色系の値Ｌ＊ａ＊ｂ＊が格納されるルックアップテープル（ＬＵＴ）を作成する第２ステップと、
該作成したルックアップルデーブルを基にして前記第２のカラー画像出力装置が前記第１のカラー画像出力装置の色に合わせて出力可能とする第３ステップとからなり、
該第３ステップが、
前記第１のカラー画像出力装置と前記第２のカラー画像出力装置の同じ色相（Ｈ）の色であって前記第２のカラー画像出力装置の色再現可能範囲外の色を、前記第２のカラー画像出力装置で出力可能な色空間での彩度の最高点（Ｓ）を含む同一輝度平面に対して正負いずれでも一定角度（θまたは−θ）をなすように、前記第２のカラー画像出力装置の色再現可能範囲まで圧縮するステップ、
前記第２のカラー画像出力装置の色再現可能範囲の彩度の最高点より輝度が高く、前記一定角度（θ）での圧縮により前記色再現可能範囲内に到達する場合には、前記同一輝度平面に対して前記一定角度（θ）のままで前記色再現可能範囲まで圧縮するステップ、
前記第２のカラー画像出力装置の色再現可能範囲の彩度の最高点より輝度が低く、前記一定角度（−θ）での圧縮により前記色再現可能範囲内に到達する場合には、前記同一輝度平面に対して前記一定角度（−θ）のままで前記色再現可能範囲まで圧縮するステップ、
前記第２のカラー画像出力装置の色再現可能範囲の彩度の最高点より輝度が高く、前記一定角度（θ）での圧縮による圧縮先が前記色再限可能範囲に到達せず、同一輝度平面に到達する場合には、全て最高彩度点（Ｓ）に圧縮するステップ、
前記第２のカラー画像出力装置の色再現可能範囲の彩度の最高点より明度が高く、前記一定角度（θ）での圧縮による圧縮先が前記色再限可能範囲に到達せずに明度軸に到達する場合には、全て最高または最低明度点（ＷまたはＢ）に圧縮するステップ
を含むことを特徴とする画像処理プログラム。
【請求項２０】
請求項１４ないし２０のいずれかに記載のプログラムを記憶してあり、コンピュータで読み取り可能な記録媒体。
【発明の詳細な説明】
【技術分野】
【０００１】
本発明は、カラー画像出力装置用の色処理、調整に関し、詳細にはカラープリンタ等のカラー画像出力装置について用いる色調整装置、同方法、カラープリンタの色調整システム、これを実行する画像処理プログラム、このプログラムを記憶したコンピュータで読み取り可能な記録媒体に関する。
【背景技術】
【０００２】
カラープリンタ等のカラー画像を出力するための装置における色処理に関しては種々の提案がなされている（例えば特許文献１、２参照）。しかし、本願発明者の知るところでは、カラープリンタ等で色合わせの目標とする第１のカラー画像出力装置（以下、本明細書でターゲットカラープリンタと言う）の色に合わせて出力する場合に、色を調整して出力すべき第２のカラー画像出力装置（以下、本明細書で被調整プリンタと言う）の調整について、さらにいろいろな手法の開発が臨まれている。
【特許文献１】特開平０９−０６９９５９号公報
【特許文献２】特開平１１−１６４１６２号公報
【発明の開示】
【発明が解決しようとする課題】
【０００３】
そこで本発明は、カラープリンタがターゲットカラープリンタの色に合わせで出力したい場合に使用可能な新規な装置、方法等を提案しようとするものである。そして特に、明度、彩度の連続性を保持しつつ色調整を行える装置、方法、システム、画像処理プログラム、及び記録媒体を提供することを目的とするものである。
【課題を解決するための手段】
【０００４】
本発明の請求項１に係るカラー画像出力装置用の色調整装置は、色合わせの目標とする第１のカラー画像出力装置及び出力色を調整すべき第２のカラー画像出力装置それぞれのカラープロファイルを作成し、該カラープロファイルに基づいて、入力ＣＭＹＫ値に対する出力値として表色系の値Ｌ＊ａ＊ｂ＊が格納されるルックアップテープル（ＬＵＴ）を作成し、該作成したルックアップルデーブルを基にして前記第２のカラー画像出力装置により前記第１のカラー画像出力装置の色に合わせて出力する場合に、明度、彩度の連続性を保って色調整可能とする手段を有することを特徴とする。
【０００５】
同請求項２に係るものは、色合わせの目標とする第１のカラー画像出力装置及び出力色を調整すべき第２のカラー画像出力装置それぞれのカラープロファイルを作成し、該カラープロファイルに基づいて、入力ＣＭＹＫ値に対する出力値として表色系の値Ｌ＊ａ＊ｂ＊が格納されるルックアップテープル（ＬＵＴ）を作成し、該作成したルックアップルデーブルを基にして前記第２のカラー画像出力装置により前記第１のカラー画像出力装置の色に合わせて出力可能とするカラー画像出力装置用の色調整装置において、前記第１のカラー画像出力装置と前記第２のカラー画像出力装置の同じ色相（Ｈ）の色であって前記第２のカラー画像出力装置の色再現可能範囲外の色を、前記第２のカラー画像出力装置で出力可能な色空間での彩度の最高点（Ｓ）を含む同一輝度平面に対して正負いずれでも一定角度（θまたは−θ）をなすように、前記第２のカラー画像出力装置の色再現可能範囲まで圧縮する手段を有することを特徴とする。
【０００６】
同請求項３に係るものは、請求項２に記載のカラー画像出力装置用の色調整装置において、前記第２のカラー画像出力装置の色再現可能範囲の彩度の最高点より輝度が高く、前記一定角度（θ）での圧縮により前記色再現可能範囲内に到達する場合には、前記同一輝度平面に対して前記一定角度（θ）のままで前記色再現可能範囲まで圧縮することを特徴とする。
【０００７】
同請求項４に係るものは、請求項２に記載のカラー画像出力装置用の色調整装置において、前記第２のカラー画像出力装置の色再現可能範囲の彩度の最高点より輝度が低く、前記一定角度（−θ）での圧縮により前記色再現可能範囲内に到達する場合には、前記同一輝度平面に対して前記一定角度（−θ）のままで前記色再現可能範囲まで圧縮する。
【０００８】
同請求項５に係るものは、請求項２に記載のカラー画像出力装置用の色調整装置において、前記第２のカラー画像出力装置の色再現可能範囲の彩度の最高点より輝度が高く、前記一定角度（θ）での圧縮による圧縮先が前記色再限可能範囲に到達せず、同一輝度平面に到達する場合には、全て最高彩度点（Ｓ）に圧縮することを特徴とする。
【０００９】
同請求項６に係るものは、請求項２に記載のカラー画像出力装置用の色調整装置において、前記第２のカラー画像出力装置の色再現可能範囲の彩度の最高点より明度が高く、前記一定角度（θ）での圧縮による圧縮先が前記色再限可能範囲に到達せずに明度軸に到達する場合には、全て最高または最低明度点（ＷまたはＢ）に圧縮することを特徴とする。
【００１０】
同請求項７に係るカラー画像出力装置用の色調整方法は、色合わせの目標とする第１のカラー画像出力装置及び出力色を調整すべき第２のカラー画像出力装置それぞれのカラープロファイルを作成し、該カラープロファイルに基づいて、入力ＣＭＹＫ値に対する出力値として表色系の値Ｌ＊ａ＊ｂ＊が格納されるルックアップテープル（ＬＵＴ）を作成し、該作成したルックアップルデーブルを基にして前記第２のカラー画像出力装置により前記第１のカラー画像出力装置の色に合わせて出力する場合に、明度、彩度の連続性を保って色調整可能とすることを特徴とする。
【００１１】
同請求項８に係るものは、色合わせの目標とする第１のカラー画像出力装置及び出力色を調整すべき第２のカラー画像出力装置それぞれのカラープロファイルを作成し、該カラープロファイルに基づいて、入力ＣＭＹＫ値に対する出力値として表色系の値Ｌ＊ａ＊ｂ＊が格納されるルックアップテープル（ＬＵＴ）を作成し、該作成したルックアップルデーブルを基にして前記第２のカラー画像出力装置により前記第１のカラー画像出力装置の色に合わせて出力可能とするカラー画像出力装置用の色調整方法において、前記第１のカラー画像出力装置と前記第２のカラー画像出力装置の同じ色相（Ｈ）の色であって前記第２のカラー画像出力装置の色再現可能範囲外の色を、前記第２のカラー画像出力装置で出力可能な色空間での彩度の最高点（Ｓ）を含む同一輝度平面に対して正負いずれでも一定角度（θまたは−θ）をなすように、前記第２のカラー画像出力装置の色再現可能範囲まで圧縮することを特徴とする。
【００１２】
同請求項９に係るものは、請求項８に記載のカラー画像出力装置用の色調整方法において、前記第２のカラー画像出力装置の色再現可能範囲の彩度の最高点より輝度が高く、前記一定角度（θ）での圧縮により前記色再現可能範囲内に到達する場合には、前記同一輝度平面に対して前記一定角度（θ）のままで前記色再現可能範囲まで圧縮する。
【００１３】
同請求項１０に係るものは、請求項８に記載のカラー画像出力装置用の色調整方法において、前記第２のカラー画像出力装置の色再現可能範囲の彩度の最高点より輝度が低く、前記一定角度（−θ）での圧縮により前記色再現可能範囲内に到達する場合には、前記同一輝度平面に対して前記一定角度（−θ）のままで前記色再現可能範囲まで圧縮する。
【００１４】
同請求項１１に係るものは、請求項８に記載のカラー画像出力装置用の色調整方法において、前記第２のカラー画像出力装置の色再現可能範囲の彩度の最高点より輝度が高く、前記一定角度（θ）での圧縮による圧縮先が前記色再限可能範囲に到達せず、同一輝度平面に到達する場合には、全て最高彩度点（Ｓ）に圧縮することを特徴とする。
【００１５】
同請求項１２に係るものは、請求項８に記載のカラー画像出力装置用の色調整方法において、前記第２のカラー画像出力装置の色再現可能範囲の彩度の最高点より明度が高く、前記一定角度（θ）での圧縮による圧縮先が前記色再限可能範囲に到達せずに明度軸に到達する場合には、全て最高または最低明度点（ＷまたはＢ）に圧縮することを特徴とする。
【００１６】
同請求項１３に係るカラー画像出力装置の色調整システムは、請求項７ないし請求項１２のいずれかに記載のカラープリンタの色調整方法の実行に用いる手段を有することを特徴とする。
【００１７】
同請求項１４に係る画像処理プログラムは、カラープリンタの色調整方法を実行する処理ステップからなる画像処理プログラムであって、色合わせの目標とする第１のカラー画像出力装置及び出力色を調整すべき第２のカラー画像出力装置それぞれのカラープロファイルを作成する第１のステップと、該カラープロファイルを基にして入力ＣＭＹＫ値に対する出力値として表色系の値Ｌ＊ａ＊ｂ＊が格納されるルックアップテープル（ＬＵＴ）を作成する第２ステップと、該作成したルックアップルデーブルを基にして前記第２のカラー画像出力装置が前記第１のカラー画像出力装置の色に合わせて出力可能とする第３ステップとからなり、該第３ステップが、前記第１のカラー画像出力装置と前記第２のカラー画像出力装置の同じ色相（Ｈ）の色であって前記第２のカラー画像出力装置の色再現可能範囲外の色を、前記第２のカラー画像出力装置で出力可能な色空間での彩度の最高点（Ｓ）を含む同一輝度平面に対して正負いずれでも一定角度（θまたは−θ）をなすように、前記第２のカラー画像出力装置の色再現可能範囲まで圧縮するステップを含むことを特徴とする。
【００１８】
同請求項１５に係るものは、請求項１４に記載の画像処理プログラムにおいて、前記第３ステップが、さらに、前記第２のカラー画像出力装置の色再現可能範囲の彩度の最高点より輝度が高く、前記一定角度（θ）での圧縮により前記色再現可能範囲内に到達する場合には、前記同一輝度平面に対して前記一定角度（θ）のままで前記色再現可能範囲まで圧縮するステップを含むことを特徴とする。
【００１９】
同請求項１６に係るものは、請求項１４に記載の画像処理プログラムにおいて、前記第３ステップが、さらに、前記第２のカラー画像出力装置の色再現可能範囲の彩度の最高点より輝度が低く、前記一定角度（−θ）での圧縮により前記色再現可能範囲内に到達する場合には、前記同一輝度平面に対して前記一定角度（−θ）のままで前記色再現可能範囲まで圧縮するステップを含むことを特徴とする。
【００２０】
同請求項１７に係るものは、請求項１４に記載の画像処理プログラムにおいて、前記第３ステップが、さらに、前記第２のカラー画像出力装置の色再現可能範囲の彩度の最高点より輝度が高く、前記一定角度（θ）での圧縮による圧縮先が前記色再限可能範囲に到達せず、同一輝度平面に到達する場合には、全て最高彩度点（Ｓ）に圧縮するステップを含むことを特徴とする。
【００２１】
同請求項１８に係るものは、請求項１４に記載の画像処理プログラムにおいて、前記第３ステップが、さらに、前記第２のカラー画像出力装置の色再現可能範囲の彩度の最高点より明度が高く、前記一定角度（θ）での圧縮による圧縮先が前記色再限可能範囲に到達せずに明度軸に到達する場合には、全て最高または最低明度点（ＷまたはＢ）に圧縮するステップを含むことを特徴とする。
【００２２】
同請求項１９に係るものは、カラープリンタの色調整方法を実行する処理ステップからなる画像処理プログラムであって、色合わせの目標とする第１のカラー画像出力装置及び出力色を調整すべき第２のカラー画像出力装置それぞれのカラープロファイルを作成する第１のステップと、該カラープロファイルを基にして入力ＣＭＹＫ値に対する出力値として表色系の値Ｌ＊ａ＊ｂ＊が格納されるルックアップテープル（ＬＵＴ）を作成する第２ステップと、該作成したルックアップルデーブルを基にして前記第２のカラー画像出力装置が前記第１のカラー画像出力装置の色に合わせて出力可能とする第３ステップとからなり、該第３ステップが、前記第１のカラー画像出力装置と前記第２のカラー画像出力装置の同じ色相（Ｈ）の色であって前記第２のカラー画像出力装置の色再現可能範囲外の色を、前記第２のカラー画像出力装置で出力可能な色空間での彩度の最高点（Ｓ）を含む同一輝度平面に対して正負いずれでも一定角度（θまたは−θ）をなすように、前記第２のカラー画像出力装置の色再現可能範囲まで圧縮するステップ、前記第２のカラー画像出力装置の色再現可能範囲の彩度の最高点より輝度が高く、前記一定角度（θ）での圧縮により前記色再現可能範囲内に到達する場合には、前記同一輝度平面に対して前記一定角度（θ）のままで前記色再現可能範囲まで圧縮するステップ、前記第２のカラー画像出力装置の色再現可能範囲の彩度の最高点より輝度が低く、前記一定角度（−θ）での圧縮により前記色再現可能範囲内に到達する場合には、前記同一輝度平面に対して前記一定角度（−θ）のままで前記色再現可能範囲まで圧縮するステップ、前記第２のカラー画像出力装置の色再現可能範囲の彩度の最高点より輝度が高く、前記一定角度（θ）での圧縮による圧縮先が前記色再限可能範囲に到達せず、同一輝度平面に到達する場合には、全て最高彩度点（Ｓ）に圧縮するステップ、前記第２のカラー画像出力装置の色再現可能範囲の彩度の最高点より明度が高く、前記一定角度（θ）での圧縮による圧縮先が前記色再限可能範囲に到達せずに明度軸に到達する場合には、全て最高または最低明度点（ＷまたはＢ）に圧縮するステップを含むことを特徴とする。
【００２３】
同請求項２０に係る記録媒体は、請求項１４ないし２０のいずれかに記載のプログラムを記憶してあり、コンピュータで読み取り可能なものである。
【発明の効果】
【００２４】
本発明は、ターゲットカラープリンタの色特性と被調整カラープリンタの色特性を両方持ちながら色の調整ができる。また、明度、彩度の連続性を保持しつつ色調整を行える。
【発明を実施するための最良の形態】
【００２５】
以下本発明を実施するための最良の形態を、図に示す実施例を参照して説明する。
【実施例１】
【００２６】
図１は本発明に係る装置、方法を概念的に示す図である。本発明に係るカラー画像出力装置用の色調整は、ターゲットカラープリンタ（第１のカラー画像出力装置）１１を色合わせの目標とし、ターゲットカラープリンタの色を、被調整カラープリンタ（第２のカラー画像出力装置）１２で再現するように実行するものであり、ターゲットカラープリンタ１１及び被調整カラープリンタ１２それぞれのカラープロファイル１３、１４を作成し、これを基に、入力ＣＭＹＫ値に対する出力値として表色系の値Ｌ＊ａ＊ｂ＊が格納されるルックアップテープル（ＬＵＴ）１５を作成し、作成したルックアップルデーブル１５を基にして被調整カラープリンタ１２によってターゲットカラープリンタ１１の色に合わせて出力可能とする処理を、演算処理装置２０により行う。演算処理装置２０としては、本発明に係る画像処理プログラムを格納したコンピュータ等を採用できることは勿論であるが、種々公知の装置を代用することも可能である。
【００２７】
図２は、演算処理装置２０により行う色調整の各ステップを示すフローチャートである。この色調整方法は、ターゲットカラープリンタ１１を色合わせの目標とし、ターゲットカラープリンタの色を、被調整カラープリンタ１２で再現するように実行するものである。以下、本実施例における色調整方法の各ステップを概略的に説明する。
【００２８】
まず、ターゲットカラープリンタ１１で出力したカラーチャートを測色するなどし（ステップ１−ａ）、これに基づいてターゲットカラープリンタ１１のカラープロファイル１３を作成する（ステップ１−ｂ）。同様に、被調整カラープリンタ１２で出力したカラーチャートを測色するなどし（ステップ２−ａ）、これに基づいて被調整カラープリンタ１２のカラープロファイル１４を作成する（ステップ２−ｂ）。次に、ターゲットカラープリンタ１１のカラープロファイル１３と被調整カラープリンタ１２のカラープロファイル１４とからルックアップテーブル（ＬＵＴ）１５を作成する（ステップ３）。換言すれば、表色系をＣＭＹＫからＣ’Ｍ’Ｙ’Ｋ’へと変換している。なお、カラーチャートの測色、プロファイルの作成、ＬＵＴの作成は、いわゆるカラーマネージメントツールとして公知の方法、手段、装置、器具、コンピュータプログラム等を用いればよいので図示及び説明は省略する。以下においても同様である。
【００２９】
次に、各色についてステップ３で作成したＬＵＴ１５により色補正を行って被調整カラープリンタ１２に出力するＣＭＹＫの値を得る。そして被調整カラープリンタ１２から出力させる（ステップ４）。
【００３０】
つぎに、図３〜図７により上述のカラープロファイルの作成方法について説明する。
図３は、表色系をＣＭＹＫ→Ｌ＊ａ＊ｂ＊変換するＬＵＴの説明図である。上述のターゲットカラープリンタ１１及び被調整カラープリンタ１２ともカラープロファイル１３、１４を作成するためにそれぞれ次の２つのルックアップテーブル「ＬＵＴ」を作成する。
（１）ＣＭＹＫ→Ｌ＊ａ＊ｂ＊  ＬＵＴ（第１のルックアップテーブル）：ＣＭＹＫの色の値を表色系の値Ｌ＊ａ＊ｂ＊に変換する
（２）Ｌ＊ａ＊ｂ＊→ＣＭＹＫ  ＬＵＴ（第２のルックアップテーブル）：表色系の値Ｌ＊ａ＊ｂ＊をＣＭＹＫの色の値に変換する
【００３１】
ＣＭＹＫ→Ｌ＊ａ＊ｂ＊  ＬＵＴは、図３に示すようになり、ＣＭＹＫのＬＵＴ入力点に対しＬ＊ａ＊ｂ＊値が入る、いわゆる４次元入力／３次元出力である。具体的にはＣＭＹＫ単色及び混色の組合せについてカラーパッチを測色計で測定し、各カラーパッチのＬ＊ａ＊ｂ＊値を求めてＬＵＴにし、Ｃ、Ｍ、Ｙ、Ｋそれぞれについて、その最小値０から２５５までを４分割し、０、６４、１２８、１９１、２５５の５段階を取り、Ｃ×Ｍ×Ｙ×Ｋ：５×５×５×５＝６２５点のカラーパッチをターゲットプリンタまたは被調整カラープリンタで印刷し、５×５×５×５＝６２５点の各パッチを順番に測定してＬ＊ａ＊ｂ＊値を求める。
【００３２】
一方、Ｌ＊ａ＊ｂ＊→ＣＭＹＫ  ＬＵＴは、図４に示すように、３次元入力／４次元出力ＬＵＴであり、３２×３２×３２の格子点の間の点について補間を行って変換する。なお図４は、Ｌ＊ａ＊ｂ＊→ＣＭＹＫ変換するＬＵＴの説明図である。
【００３３】
具体的に本発明の色調整方法について図５を用いて説明する。図５は色再現可能範囲（ガモット）外にある調整すべき値を色再現可能範囲に移動する態様を示す色調整座標図である。調整値Ｐ’が図示のようにＬ＊ａ＊ｂ＊表色系の各頂点形成される色再現可能範囲（ガモット）外にあるときには、この調整値Ｐ’を移動させて色再現可能範囲内にＰを求める。また図６は色調整（移動）の手順を示すフローチャートである。なお図５は、Ｌ＊ａ＊ｂ＊表色系空間を、或る一つの色相において、明度を示すＬ軸を含むようにある方向で切断した断面図であり、中央の線がＬ＊軸である。ＷＳ’ＢＳ点を頂点とする部分は、被調整カラープリンタ１２の色再現可能範囲を示している。
【００３４】
これら図５、図６を用いて移動の方法を説明する。本発明は同じ色相（Ｈ）の色の移動を目的とし、明度、彩度の連続性を保って（階調が逆転しないようにすることをも含む）色調整可能とするので、Ｌ軸の右側を用いて説明するが、左側も同様に処理すればよい。
【００３５】
まず、彩度頂点Ｓ、白色頂点Ｗおよび黒色頂点Ｂの明度と彩度を求める（ステップ１）。直線ｈは彩度頂点の明度を示す。彩度頂点Ｓの明度より高い明度の点（Ｐ１’〜Ｐ３’）は、明度と彩度を減少させながら移動させ、彩度頂点Ｓの明度より低い明度の点（Ｐ４’〜Ｐ６’）は、明度を増加させ彩度を減少させながら移動させる。本実施例においては、色変換後の明度と彩度の変化のバランスを良くするため、直線ｈに対して同じ角度（θまたは−θ）で移動させる（ステップ２）。この角度（θまたは−θ）は、明度の移動方向や色相により、それぞれの移動角度を設定すればよい。
【００３６】
そして、Ｐ１’、Ｐ４’のように色再現可能範囲の境界と交差する場合にはその交点の座標を目標値Ｐ’として前述のようにして目標値Ｐを求める（ステップ３）。すなわち、P1'のような場合は、彩度の最高点（Ｓ）より輝度が高く、圧縮先が色再現可能範囲に到達するケースであるので、圧縮の仕方は、水平ラインである直線ｈに対して一定の角度（θ）で色再現可能範囲まで圧縮する。また点P4'のような場合は、彩度の最高点（Ｓ）より輝度が低く、圧縮先が色再現可能範囲に到達するケースであるので、水平ラインである直線ｈに対して一定の角度（−θ）で色再現可能範囲まで圧縮する。
【００３７】
さらに、Ｐ３’、Ｐ５’のように移動により明度が彩度頂点Ｓの明度に至り、そのときの彩度が彩度頂点Ｓの彩度より高い場合には、その点は彩度頂点Ｓに移動し、彩度頂点Ｓを目標値Ｐ’として前述のようにして目標値Ｐを求める（ステップ４）。すなわち点P3'、P5'のような場合は圧縮先が色再限可能範囲に到達しないうちに直線hに到達するので、このような点については全て最高彩度点（Ｓ点）に圧縮する。
【００３８】
さらにまた、Ｐ２’のように移動により彩度が白色頂点の彩度（図では０）になり、そのとき明度が白色頂点Ｗの明度より高い場合には、その点は白色頂点Ｗに移動し、白色頂点Ｗを目標値Ｐ’として前述のようにして目標値Ｐを求める（ステップ５）。すなわち点P2'のような場合は圧縮先が色再現可能範囲より上にあって色再現可能範囲に到達せず、垂直ライン（Ｌ軸）に到達するので、このような点は全てＷ点に圧縮する。
【００３９】
さらにまた、点Ｐ６’のように移動により彩度が黒色頂点の彩度（図では０）になり、そのとき明度が黒色頂点Ｂの明度より低い場合には、その点は黒色頂点Ｂに移動し、黒色頂点Ｂを目標値Ｐ’として前述のようにして目標値Ｐを求める（ステップ６）。すなわち点P6'のような場合は圧縮先が色再現可能範囲より下にあって色再現可能範囲に到達せず、垂直ライン（Ｌ軸）に到達するので、このような点は全てＢ点に圧縮する。
【００４０】
以上のように色再現可能範囲（ガモット）の外の表色系の値を移動し、色再現可能範囲の外の色の入力値に対するＣＭＹＫ出力値を求めることで、色変換後にも明度や彩度は反転せず、明度や彩度の連続性が持つことができる。また、彩度が高い色は、最大彩度に移動されるため彩度の高い色の、色みが低下せず、高濃度の色は、黒色頂点に移動されるので明るくなることがない。
【００４１】
なお、上述した実施例の各機能をそれぞれプログラム化し、予めＲＯＭやＣＤ−ＲＯＭ等の記録媒体に書き込んでおき、コンピュータ等を用いた処理システムや処理装置にこの記録媒体を装着し、これらのプログラムをマイクロプロセッサ等で実行することによって、本発明を実施できる。この場合、記録媒体から読み出されたプログラム自体が上述した実施例を実現することになり、そのプログラム及びそのプログラムを記録した記録媒体も本発明を構成することになる。
【００４２】
記録媒体としては半導体媒体（例えば、ＲＯＭ、不揮発性メモリカード等）、光媒体（例えば、ＤＶＤ、ＭＯ、ＭＤ、ＣＤ−Ｒ等）、磁気媒体（例えば、磁気テープ、フレキシブルディスク等）のいずれであってもよい。また、インターネット等の通信網を介して記憶装置に格納されたプログラムをサーバコンピュータから直接供給を受けるようにしてもよい。この場合、このサーバコンピュータの記憶装置も本発明の記録媒体に含まれる。
【００４３】
また、ロードしたプログラムを実行することにより上述した実施例の機能を実現するだけでなく、そのプログラムの指示に基づき、オペレーティングシステムあるいは他のアプリケーションプログラム等と共同して処理することによって上述した実施例の機能を実現する場合も含まれる。
【図面の簡単な説明】
【００４４】
【図１】本発明に係る装置、方法を概念的に示す図
【図２】本発明の実施例による色調整方法の各ステップを示すフローチャートである。
【図３】表色系をＣＭＹＫ→Ｌ＊ａ＊ｂ＊変換するＬＵＴの説明図である。
【図４】Ｌ＊ａ＊ｂ＊→ＣＭＹＫ変換するＬＵＴの説明図である。
【図５】色再現可能範囲（ガモット）外にある調整値を色再現可能範囲に移動する色調整座標図である。
【図６】色調整（移動）の手順を示すフローチャートである。
【符号の説明】
【００４５】
１１：ターゲットカラープリンタ（第１のカラー画像出力装置）
１２：被調整カラープリンタ（第２のカラー画像出力装置）
１３、１４：カラープロファイル
１５：ルックアップテープル（ＬＵＴ）
２０：演算処理装置
Ｐ：色再現可能範囲内の値
Ｐ’、Ｐ１’〜Ｐ６’：調整値
Ｓ、Ｓ’：彩度頂点
Ｗ：白色頂点
Ｂ：黒色頂点
【図１】
2006074486.tif 000003
【図２】
2006074486.tif 000004
【図３】
2006074486.tif 000005
【図４】
2006074486.tif 000006
【図５】
2006074486.tif 000007
【図６】
2006074486.tif 000008